(57)【要約】【課題】  ホットスタンプで形成された加飾層を備えた加飾部材であっても、意匠性の低下が抑えられた加飾部材を提供すること。【解決手段】  本発明の加飾部材１は、先端面２２が被加飾面となる突出した形状をもつ突出部２１と、被加飾面にホットスタンプで形成された加飾層２３と、を有する加飾基材２と、突出部２１の突出方向の先方に加飾基材２と間隔を隔てて配置された、通孔３０が形成された表面部材３と、を有する加飾部材１であって、表面部材３の通孔３０は、突出方向の後方に投影したときに、加飾層２３に投影されることを特徴とする。【選択図】  図５
2019048559.tif 000002
【特許請求の範囲】
【請求項１】
先端面（２２）が被加飾面となる突出した形状をもつ突出部（２１）と、該被加飾面にホットスタンプで形成された加飾層（２３）と、を有する加飾基材（２）と、
該突出部（２１）の突出方向の先方に該加飾基材（２）と間隔を隔てて配置された、通孔（３０）が形成された表面部材（３）と、
を有する加飾部材（１）であって、
該通孔（３０）は、該突出方向の後方に投影したときに、該加飾層（２３）に投影されることを特徴とする加飾部材（１）。
【請求項２】
前記表面部材（３）は、前記通孔（３０）が開口する板状の部材である請求項１に記載の加飾部材。
【請求項３】
前記通孔（３０）が前記加飾層（２３）のみに投影される請求項１〜２のいずれか１項に記載の加飾部材。
【請求項４】
前記加飾基材（２）と前記表面部材（３）とは、前記突出方向に５〜２０ｍｍの間隔を隔てて配置される請求項１〜３のいずれか１項に記載の加飾部材。
【請求項５】
前記突出部（２１）は、前記先端面（２２）が前記突出方向に対して垂直方向に沿って広がるとともに、該先端面（２２）が該突出部（２１）の外周面（２６）と交差する角部（２５）が滑らかなＲ形状をなすように形成されている請求項１〜４のいずれか１項に記載の加飾部材。
【請求項６】
前記加飾層（２３）の端部は、前記角部（２５）のＲ形状の湾曲の中心部より前記外周面側に位置する請求項５記載の加飾部材。
【請求項７】
車両用のグリルである請求項１〜６のいずれか１項に記載の加飾部材。
【発明の詳細な説明】
【技術分野】
【０００１】
本発明は、ホットスタンプにて形成された加飾層を有する加飾部材に関する。
【背景技術】
【０００２】
車両のラジエータグリルは、車両の前端に配され、その奥に配されたラジエータに走行風を当てるための通風口の役割を有する。この役割のため、ラジエータグリルは、ルーバー状やメッシュ状に形成され、すき間が通風口となっている。そして、ラジエータグリルは、車両の前面に配される部品であり、高い意匠性を持つことが求められている。意匠性の要求に対して、ルーバー状やメッシュ状の前端部（先端面）に加飾を行うことが行われている。
【０００３】
ラジエータグリルの加飾方法には、グリル（樹脂成形品）の前端部に位置する被加飾面にホットスタンプで加飾層を形成する方法がある。ホットスタンプは、被加飾面の表面に転写シートを沿わせ、加熱状態の押圧体を押しつけ（加熱と加圧を行う）、転写シートの箔を被加飾面に転写して加飾層を形成する方法である。
【０００４】
ホットスタンプは、例えば、特許文献１に開示されている。特許文献１には、被加飾面をもつ被加飾部材（加飾層が形成されていないグリル）に、転写シートを介して、加熱状態のスタンプ版（押圧体）を押しつけ、被加飾面に転写シートの箔を熱転写することが記載されている。
【先行技術文献】
【特許文献】
【０００５】
【特許文献１】特開２０１６−１４５０５２号公報
【発明の概要】
【発明が解決しようとする課題】
【０００６】
しかしながら、ホットスタンプは、転写シートの箔を熱転写するという製造方法であるため、熱転写された加飾層の端部が不均一（見切りが悪いとも称する）になりやすかった。加飾層の端部が不均一とは、加飾層の端部が所望の状態からバラツキが生じる状態である。例えば、端部が直線をなすようにホットスタンプで加飾層を製造したときに、加飾層の端部が直線を形成できずに微細な波状（数十μｍ程度のぎざぎざ形状）をなすことがある。これは、被加飾部材の被加飾面とスタンプ版とが圧接する方向が、スタンプ版の弾性により、加飾層の端部でズレることに起因する。加飾層の端部が不均一になると、加飾層の形状が不均一となり、グリルを視認したときに加飾層の見切りが悪化し、意匠性の低下を招く。
本発明は上記実情に鑑みてなされたものであり、ホットスタンプで形成された加飾層を備えた加飾部材であっても、意匠性の低下が抑えられた加飾部材を提供することを課題とする。
【課題を解決するための手段】
【０００７】
上記課題を解決する本発明の加飾部材は、先端面が被加飾面となる突出した形状をもつ突出部と、被加飾面にホットスタンプで形成された加飾層と、を有する加飾基材と、突出部の突出方向の先方に加飾基材と間隔を隔てて配置された、通孔が形成された表面部材と、を有する加飾部材であって、通孔は、突出方向の後方に投影したときに、加飾層に投影されることを特徴とする。
【０００８】
本発明の加飾部材は、表面部材の通孔を突出方向の後方（すなわち、加飾基材）に投影したときに、通孔が加飾層に投影される。この状態では、表面部材側から加飾部材を見たときに、加飾層（詳しくは、加飾層の通孔が投影した部分）が通孔を介して視認できる。つまり、加飾部材が加飾層の高い意匠性を得ることができる。
【０００９】
そして、表面部材は、通孔以外の部分で、加飾基材が直接視認されることを抑える。このことにより、表面部材側から加飾部材を見たときに、通孔が加飾層に投影されていない部分が直接視認されなくなる。
この結果、本発明の加飾基材では、ホットスタンプで形成された加飾層を備えた加飾部材であっても、意匠性の低下が抑えられたものとなっている。
【００１０】
本発明の加飾部材は、表面部材が、通孔が開口する板状の部材であることが好ましい。この構成によると、加飾部材（あるいは、加飾基材）が大型化しても、簡単に多数の通孔を形成できる。
【００１１】
本発明の加飾部材は、通孔が、加飾層のみに投影されることが好ましい。この構成によると、表面部材側から加飾部材を見たときに、通孔から加飾層のみが視認されることとなり、より意匠性が向上する。
【００１２】
本発明の加飾部材は、加飾基材と表面部材とが、突出方向に５〜２０ｍｍの間隔を隔てて配置されることが好ましい。この構成によると、表面部材と加飾基材とが、所定の間隔を隔てることで、奥行き感を確保でき、より意匠性が向上する。
また、表面部材と加飾基材とが、所定の間隔を隔てることで、加飾層の端部が視認されることを抑えながら、表面部材から加飾基材への通気性を確保することができる。
【００１３】
本発明の加飾部材は、突出部が、先端面が突出方向に対して垂直方向に沿って広がるとともに、先端面が突出部の外周面と交差する角部が滑らかなＲ形状をなすように形成されていることが好ましい。
この構成によると、先端面が突出方向に対して垂直方向に沿って広がっており、ホットスタンプで加飾層を形成するときに、先端面の全面を均一に加圧できる。これにより、形成される加飾層の加圧ムラが抑えられ、意匠性の低下が抑えられる。
【００１４】
本発明の加飾部材は、加飾層の端部が、角部のＲ形状の湾曲の中心部より外周面側に位置することが好ましい。この構成によると、表面部材側から加飾部材を見たときに、通孔を介して加飾層の端部がより視認されにくくなり、より意匠性の低下が抑えられる。
【００１５】
本発明の加飾部材は、車両用のグリルであることが好ましい。この構成によると、安価なホットスタンプで加飾層を形成することができ、安価なグリルを得られるようになる。
【図面の簡単な説明】
【００１６】
【図１】実施形態１のラジエータグリルの正面図である。
【図２】図１中のＩＩ−ＩＩ線での矢視断面図である。
【図３】図１中のＩＩＩ−ＩＩＩ線での矢視断面図である。
【図４】実施形態１のラジエータグリルの部分拡大正面図である。
【図５】図４中のＶ−Ｖ線での矢視断面図である。
【図６】実施形態２のラジエータグリルの部分拡大断面図である。
【図７】実施形態３のラジエータグリルの部分拡大断面図である。
【発明を実施するための形態】
【００１７】
以下、実施の形態を用いて本発明の加飾部材を、車両用ラジエータグリルに適用した形態を用いて具体的に説明する。なお、実施の形態は、本発明を具体的に説明するための１つの形態を示すものであり、本発明が実施の形態のみに限定されるものではない。
【００１８】
［実施形態１］
本形態のラジエータグリル１（以下、グリル１と称する）は、図１に正面図を示したように、車両の幅方向（図１の左右方向）に広がる形状を有している。図１は、グリル１を車両の前方側から見た正面図である。
【００１９】
グリル１は、図２〜図３に断面図で示したように、加飾基材２と表面部材３とを有し、表面部材３が加飾基材２の車両の前方側に配されている。なお、図２は、図１中のＩＩ−ＩＩ線での断面を示す図である。図３は、図１中のＩＩＩ−ＩＩＩ線での断面を示す図である。
【００２０】
加飾基材２は、基材基部２０と、基材基部２０から車両前方側に突出した突出部２１と、突出部２１の突出方向の先端面２２にホットスタンプで形成された加飾層２３と、を有する。加飾基材２は、複数の基材基部２０を幅方向に所定の間隔を保持した状態で有する。複数の基材基部２０の間は、通風孔２４となる。
【００２１】
基材基部２０は、図２〜３に断面図で示したように、車両の上下方向に対して所定の角度（本形態では４５°）で傾斜した状態で延びる略帯状を有する。基材基部２０は、車両の前方側に表面が、車両後方側に裏面が、それぞれ面している。基材基部２０の表面には、車両前方に向かって突出する複数の突出部２１が形成されている。すなわち、基材基部２０の表面から、垂直な方向に突出して突出部２１が形成されている。
突出部２１は、帯状の基材基部２０の表面から、車両の前方側に突出した部分である。突出部２１は、帯状の基材基部２０の伸びる方向（帯状の長手方向）において、所定の間隔を隔てて複数がもうけられている。
【００２２】
突出部２１は、図２〜図３に示すように、基材基部２０から、断面形状がほぼ一定の状態で、突出する。突出部２１は、突出した先端面２２が四角形状（方形状、ひし形形状）をなしている。突出部２１の先端面２２（すなわち、突出部２１の突出方向に垂直な断面形状）は、帯状の基材基部２０の幅方向における長さが一辺の長さとなっている正方形状をなしている。
突出部２１の先端面２２は、突出方向に垂直な平面をなしている。
すなわち、突出部２１は、帯状の基材基部２０の表面から、突出方向に突出した柱状（角柱状）をなしている。
突出部２１は、基材基部２０の表面から突出する突出高さが限定されない。グリル１において意匠性等を確保できる高さとすることができる。
【００２３】
突出部２１の先端面２２には、ホットスタンプで形成された加飾層２３が形成されている。加飾層２３は、先端面２２の全面に形成されている。すなわち、突出部２１の先端面２２は、角部まで加飾層２３が形成されている。
【００２４】
加飾層２３は、ホットスタンプで形成された意匠面を形成する薄層（薄膜層や被膜層とも称する）である。加飾層２３は、ホットスタンプで形成されていれば、その他の具体的な構成が限定されない。加飾層２３は、加飾基材２の突出部２１の先端面２２に転写シートを沿わせ、加熱状態の押圧体を押しつけ（加熱と加圧を行う）、転写シートの箔を先端面２２に転写するホットスタンプにより形成される。
加飾基材２は、その表面に、半透明乃至透明の保護層を有していてもよい。特に、保護層を加飾層２３の表面に有することで、通孔３０を通過した異物が衝突しても加飾層２３が損傷することが抑えられ、加飾層２３の意匠性の低下が抑えられる。
【００２５】
表面部材３は、加飾基材２の突出部２１の突出方向の先方（すなわち、車両の前方側）に、加飾基材２と間隔を隔てて配置された部材である。表面部材３は、図１に示すように、加飾基材２の正面側を被覆するように配される。表面部材３は、多数の通孔３０が開口した板状の部材である。表面部材３は、図１に示したように、多数の通孔３０が開口していない部分が略格子状をなしている。表面部材３は、通孔３０が開口した板状の部材よりなるが、複数の部材を組み合わせて形成してもよい。例えば、棒状の部材を格子状に組み合わせて形成してもよい。
【００２６】
表面部材３は、半透明乃至不透明に形成されていることが好ましく、本形態では不透明である。これにより、通孔３０以外の部分で、後方側の部材（すなわち、加飾基材２）が視認されることが抑えられる。
表面部材３は、通孔３０以外の部分に、更に加飾層や意匠表現等の意匠性を高める構成を備えていてもよい。
【００２７】
通孔３０は、図２〜図３に示したように、表面部材３を厚さ方向（すなわち、車両の前後方向）で貫通して形成されている。通孔３０は、車両の前方側から後方側に進むにつれて、孔の内径が縮径した内周面３１により区画される。すなわち、内周面３１は、突出部２１の突出方向に対して傾斜した、傾斜面をなすように形成されている。通孔３０は、図１〜図４に示したように、表面部材３の表面３２での開口形状が、裏面３３での開口形状よりも大きく形成されている。
【００２８】
通孔３０は、図１〜図４に示したように、加飾基材２の突出部２１（すなわち、先端面２２及び加飾層２３）に対応した位置に開口している。突出部２１に対応した位置とは、通孔３０を突出部２１の突出方向の後方（すなわち、加飾基材２）に投影したときに、突出部２１（の先端面２２、加飾層２３）に投影される位置である。図４は、グリル１の表面部材３の通孔３０の一つの近傍を拡大した拡大図（車両前方から見た正面図）である。
通孔３０は、その内周形状（表面３２での開口形状及び裏面３３での開口形状）が限定されない。本形態では、図１，図４に示したように、四角形状（方形状、ひし形形状）をなしている。
通孔３０は、図５に示したように、その中心が、加飾基材２の突出部２１（すなわち、先端面２２及び加飾層２３）の中心と一致した状態で開口している。図５は、図４中のＶ−Ｖ線での断面を示す図である。
【００２９】
通孔３０の裏面３３での開口部３４の端部は、図４〜図５に示したように、加飾層２３に投影されるように形成されている。具体的には、投影された通孔３０の開口部３４の全周が加飾層２３のみに投影されるように形成されている。加飾層２３の外周形状は、図４中に破線で示している。本形態では、通孔３０を加飾基材２に投影したときに、孔３０は加飾層２３の端部に囲まれた内部に位置する。
【００３０】
通孔３０は、図５に示すように、裏面３３での開口部３４が、加飾層２３の端部より所定の距離Ｌ１で、端部よりも内部（中心側）に位置している。所定の距離Ｌ１の具体的な数値は限定されない。本形態では、０ｍｍ以上であることが好ましい。Ｌ１がこの範囲内となることで、グリル１を車両の前方側から見たときに、加飾層２３の端部が視認されにくくなる。すなわち、車両のラジエータグリルとしての意匠性を向上できる。Ｌ１は、０．３  ｍｍ以上であることがより好ましく、０．８〜１．２ｍｍであることが更に好ましい。
Ｌ１が過剰に大きくなると、結果として通孔３０の開口面積が減少し、ラジエータグリルとしての通気性が低下するおそれがある。
【００３１】
表面部材３は、図５に示すように、加飾基材２に対して所定の距離Ｌ２を隔てて配置されている。具体的には、表面部材３の裏面３３と、加飾基材２の突出部２１の先端面２２（すなわち、加飾層２３）とが、突出部２１の突出方向（すなわち、車両の前後方向）において、Ｌ２の間隔を隔てて配置されている。
【００３２】
所定の距離Ｌ２の具体的な数値は限定されない。本形態では、５〜２０ｍｍであることが好ましい。Ｌ２がこの範囲内となることで、車両のラジエータグリルとしての機能と意匠性を両立できる。５ｍｍ未満では、表面部材３と加飾基材２の間隔が短くなりすぎ、ラジエータグリルとしての通気性が低下する。２０ｍｍを超えると、加飾層２３の端部が視認されやすくなる。Ｌ２は３〜１０ｍｍがより好ましい。
【００３３】
（本形態の効果）
本形態のグリル１は、先端面２２が被加飾面となる突出した形状をもつ突出部２１と、被加飾面にホットスタンプで形成された加飾層２３と、を有する加飾基材２と、突出部２１の突出方向の先方に加飾基材２と間隔を隔てて配置された、通孔３０が形成された表面部材３と、を有する。そして、通孔３０は、突出方向の後方に投影したときに、加飾層２３に投影される。
【００３４】
この構成によると、まず、本形態のグリル１は、表面部材３を加飾基材２に投影したときに、通孔３０が加飾層２３に投影される。この状態では、車両の前方から投影方向に沿ってグリル１を見た場合、加飾層２３が通孔３０を介して視認できる。つまり、グリル１の加飾層２３を視認でき、加飾層２３の高い意匠性をグリル１が得られる。
【００３５】
そして、本形態のグリル１は、表面部材３を有することで、通孔３０以外の部分では、加飾基材２が直接視認されることが抑えられている。このことにより、車両の前方からグリル１を見たときに、加飾層２３の端部が直接視認されることが抑えられる。この結果、本形態のグリル１は、ホットスタンプで形成された加飾層２３を備えたものであり、更に加飾層２３の端部が波状になっている場合でも、当該端部が視認されることが抑えられ、グリル１の意匠性の低下が抑えられたものとなっている。
【００３６】
本形態のグリル１は、表面部材３が、通孔３０が開口する板状の部材である。この構成によると、グリル１（あるいは、加飾基材２）が大型化しても、簡単に多数の通孔３０を有する表面部材３を得ることができる。
さらに、この表面部材３は、加飾基材２に対しての組み付けを簡単に行うことができ、グリル１の製造に要する工数（コスト）を低減できる。
すなわち、本形態のグリル１は、ホットスタンプで形成された加飾層２３を備えたグリル１であっても、意匠性の低下が抑えられたものを容易に得ることができる。
【００３７】
本形態のグリル１は、通孔３０が、加飾層２３のみに投影される。この構成によると、車両の前方側からグリル１を見たときに、通孔３０から加飾層２３の端部に囲まれた内部のみが視認されることとなり、確実に意匠性の低下が抑えられる。
【００３８】
本形態のグリル１は、加飾基材２と表面部材３とが、突出方向に５〜２０ｍｍの間隔を隔てて配置される。この構成によると、加飾基材２と表面部材３とが、所定の間隔を隔てることで、奥行き感を確保でき、より意匠性が向上する。
また、表面部材３と加飾基材２とが、所定の間隔を備えることから、グリル１としての通気性が十分に確保できる。
本形態のグリル１は、加飾基材２の加飾層２３を、メッキ等の工法と比較して安価な工法であるホットスタンプで形成することができる。このことから、意匠性に優れた安価なグリル１となる効果を発揮する。
【００３９】
［実施形態２］
本形態は、加飾基材２の突出部２１及び加飾層２３の形態が異なること以外は、実施形態１と同様なグリル１である。
【００４０】
本形態のグリル１は、図６に示したように、突出部２１の角部２５が、湾曲したＲ形状をなしている。すなわち、角部２５の断面形状が、なめらかな弧状をなすように形成されている。より具体的には、突出部２１は、先端面２２と、角部２５と、外周面２６と、を有する。図６は、図５と同様に、本形態のグリル１の通孔３０の近傍を拡大して示した断面図である。
【００４１】
先端面２２は、突出部２１の突出方向の先端に位置し、突出部２１の突出方向に垂直な方向に沿って広がる平面をなしている。
外周面２６は、突出部２１の周方向に沿った側面である。
角部２５は、先端面２２と外周面２６とをつなぐ部分である。角部２５は、図６に示したように、断面形状が円弧面をなす。角部２５の円弧面は、曲率半径の中心周りで９０°の角度による円弧面である。具体的には、角部２５の先端面２２側の端部２７と、角部２５の外周面２６側の端部２８とは、角部２５の曲率半径の中心に対して、９０°ズレた位置にある。角部２５は、本形態のグリル１では、角部２５の曲率半径は、０．３〜０．８ｍｍ（Ｒ０．３〜０．８）であることが好ましい。
【００４２】
加飾層２３は、その端部が角部２５の湾曲面の途中に位置する。加飾層２３の端部は、角部２５のＲ形状の湾曲の中心部より外周面２６側に位置している。より具体的には、端部２７を０°とし、端部２８を９０°としたときの周方向における角度位置が４５°以上となる。加飾層２３は、角部２５の角度位置が４５°以上であることが好ましく９０°であることがより好ましい。すなわち、加飾層２３は、角部２５の円弧面を被覆することが好ましい。
【００４３】
本形態では、通孔３０を突出部２１に投影したときに、先端面２２の端部２７が、通孔３０の開口部３４と一致する位置となっている。すなわち、端部２７から突出部２１の突出方向の先方に、通孔３０の開口部３４が位置する。
本形態においても、図６に示したように、表面部材３の通孔３０は、突出方向の後方に投影したときに、加飾層２３のみに投影される。
【００４４】
（本形態の効果）
本形態においても、実施形態１と同様な効果を発揮する。
さらに、本形態のグリル１は、突出部２１が、先端面２２が突出方向に対して垂直方向に沿って広がるとともに、先端面２２が突出部２１の外周面２６と交差する角部２５が滑らかなＲ形状をなすように形成されている。
本形態のグリル１は、加飾層２３の端部が、角部２５のＲ形状の湾曲の中心部より、突出部２１の外周面２６側（すなわち、突出部２１の突出方向の基端側）に位置している。
【００４５】
この構成によると、先端面２２が突出方向に対して垂直方向に沿って広がっており、ホットスタンプで加飾層２３を形成するときに、先端面２２の全面を均一に加圧できる。これにより、形成される加飾層２３の加圧ムラが抑えられ、意匠性の低下が抑えられる。
【００４６】
さらに、突出部２１が全体として先細の形状となるため、樹脂成形での成形性が向上する。すなわち、簡単に加飾基材２を製造できる。また、グリル１において、通孔３０を通過した風が、湾曲した角部２５に案内されるため、通風孔２４に風がより流れやすくなる。すなわち、グリル１の通気性の低下が抑えられる。
【００４７】
そして、加飾層２３の端部が角部２５に重なる位置であって、加飾層２３の端部がＲ形状の湾曲の中心部より突出部２１の外周面２６側（すなわち、突出部２１の突出方向の基端側）に位置している。この構成によると、車両前方側から突出部２１を見た場合でも、湾曲の途中に位置するため加飾層２３の端部がより視認されにくくなる。
さらに、湾曲の中心部より突出部２１の外周面２６側（図６中の４５°以上）に加飾層２３の端部が位置する。湾曲の中心部より突出部２１の外周面２６側の部分は、車両前方側からグリル１を視認したとき（正面視したとき）、加飾層２３の端部を接線方向から視認することとなる。加飾層２３の端部が波打っていても、波の振幅が小さく見える（意匠性の低下が抑えられる）。
この結果、車両前方からグリル１を視認する方向が、ずれを生じて加飾層２３の端部の一部が見えた場合でも、意匠性の低下が抑えられる。
【００４８】
［実施形態３］
本形態は、加飾基材２の突出部２１の角部の形状が異なること以外は、実施形態２と同様なグリル１である。
【００４９】
本形態の角部２５は、図７に示したように、先端面２２と外周面２６とをつなぐ平面をなしている。いわゆるＣ面取りがなされた状態である。図７は、図５と同様に、本形態のグリル１の通孔３０の近傍を拡大して示した図である。
本形態においても、角部２５の表面が湾曲形状から平面形状と変わっても、実施形態２と同様な効果を発揮する。
本形態では、角部２５の表面が平面形状となっており、凸となる湾曲形状の場合と比較して通気抵抗を低減でき、通孔３０を通過する風を通風孔２４により案内できる。すなわち、本形態のグリル１は、より通気性に優れたグリル１である。
【符号の説明】
【００５０】
１：ラジエータグリル
２：加飾基材            ２０：基材基部            ２１：突出部
２２：先端面            ２３：加飾層              ２４：通風孔
２５：角部              ２６：外周面              ２７，２８：端部
３：表面部材            ３０：通孔                ３１：内周面
３２：表面              ３３：裏面                ３４：開口部
【図１】
2019048559.tif 000003
【図２】
2019048559.tif 000004
【図３】
2019048559.tif 000005
【図４】
2019048559.tif 000006
【図５】
2019048559.tif 000007
【図６】
2019048559.tif 000008
【図７】
2019048559.tif 000009